(57)【要約】      （修正有）【課題】スマートホンの電池切れのリスクを回避する、スマートホンケースを提供する。【解決手段】スマートホンケース１００に一方がオスであり他方がメスであるスマートホンＵＳＢコネクタを具備する。スマートホンをこのスマートホンケース１００に装着したした際に、双方のＵＳＢコネクタが嵌合すると共に、スマートホンとスマートホンケース１００の間にスペース１１０を生じせしめ、このスペース１１０に電池または手回し発電機を格納して、スマートホンケースＵＳＢコネクタから、ＵＳＢコネクタケーブルを接続することでスマートホンの充電を行う。【選択図】図１
2020182256.tif 000002
【特許請求の範囲】
【請求項１】
スマートホンケースに、一方がオスであり他方がメスであるＵＳＢコネクタを具備し、スマートホンを装着した際に該ケースとの間に収納スペースを生じる事が特徴であって、前記収納スペースに電池を収納し、前記ＵＳＢコネクタの電源端子と結線してなるスマートホンケース。
【請求項２】
スマートホンケースに、一方がオスであり他方がメスであるＵＳＢコネクタを具備し、スマートホンを装着した際に該ケースとの間に収納スペースを生じる事が特徴であって、前記収納スペースに手回し発電機を収納し、前記ＵＳＢコネクタの電源端子と結線してなるスマートホンケース。
【請求項３】
スマートホンケースに、一方がオスであり他方がメスであるＵＳＢコネクタを具備し、スマートホンを装着した際に該ケースとの間に収納スペースを生じる事が特徴であって、前記収納スペースに格納したＵＳＢコネクタ具備の基板との接続のためのＵＳＢケーブルを前記ＵＳＢコネクタに並列接続してなるスマートホンケース。
【発明の詳細な説明】
【技術分野】
【０００１】
本発明はスマートホンケースに関するものである。
【背景技術】
【０００２】
従来のスマートホンケースは主にスマートホンを覆って保護するためのものであった。
スマートホンケースに別基板を格納して利用出来れば便利であるが、現在はその様な機能を有するスマートホンケースは無い。
【０００３】
スマートホンは屋外等の充電施設が無い環境で使われる事が多く、電池が切れた際には、充電することが出来ないので不便であった。これに対応するため、ＵＳＢコネクタを具備した予備電源を別途用意しておく必要があった。
【０００４】
また、スマートホンはノートパソコンの様に別基板をマウントして利用する様な事は無かった。
【発明の概要】
【発明が解決しようとする課題】
【０００５】
本発明は、スマートホンの電池切れのリスクを回避するためになされたもので、スマートホンの電池が切れた際には、スマートホンケース内に装備した別電源に切り替えて、この電力を使用する。
【０００６】
又、色々な機能を有する基板をスマートホンケース内に格納して、この基板からデータを取り込んでスマートホンで利用する事を可能にする。例えば電圧測定機能を有する基板の測定データをスマートホンに取り込んでこれを表示して、テスターの様に利用可能にする。
【課題を解決するための手段】
【０００７】
スマートホン裏面とスマートホンケース背板との間に、電源デバイス搭載基板や各種デバイス基板を格納可能な収納スペースを設ける。そしてこれと共に、一方がオスであり、他方がメスであるＵＳＢコネクタをスマートホンケースに具備し、スマートホンを装着した際に、スマートホンのメスＵＳＢコネクタとスマートホンケースのオスＵＳＢコネクタが嵌合して接続されるようにする。
【０００８】
スマートホンのＵＳＢコネクタは、スマートホンケースのＵＳＢコネクタを介して、言わば貫通した形で、ＵＳＢ接続可能となっている。これにより、収納スペースに格納した基板へ接続するためのＵＳＢコネクタケーブルをスマートホンケースのＵＳＢコネクタ端子に並列接続して、収納した電源デバイスや各種基板への電源供給やデーターの授受が可能となるのである。そして、従来通りのＡＣ電源充電器等を使う際には収納した基板への接続をスイッチ等で切断する。
【発明の効果】
【０００９】
電池切れの際には、収納スペースに格納した電池又は発電器等の予備電源に切り替えて使用可能となる。また、ＵＳＢコネクタ接続の種々な機能を有する基板を格納して、この基板からのデータを取り込んでスマートホンで利用する事が可能になる。
【００１０】
ＡＣ充電器や外部デバイスを従来通りのＵＳＢコネクタ接続して使用する事も出来て、且つ、スマートホンケース内に格納した電池や各種デバイス基板を利用する事も出来る。
【図面の簡単な説明】
【００１１】
【図１】本発明の斜視図
【図２】本発明にスマートホンを装着し、収納スペースに基板を格納した側面図
【図３】電池パックを格納して電源端子を結線した図
【図４】手回し発電機を格納して電源端子を結線した図
【図５】測定基板を格納してＵＳＢコネクタケーブルを接続した図（ＵＳＢコネクタ接続部              の一部拡大図含む）
【発明を実施するための形態】
【００１２】
以下図を使い本発明の実施例について説明する。
スマートホンケース１００には、スマートホン５００を装着した際に、このスマートホン５００の裏面とスマートホンケース１００の背板１０５との間に収納スペース１１０が形成される様になっている。
【００１３】
このスマートホンケース１００には一方がオス側コネクタ１５１で他方がメス側コネクタ１５２であるＵＳＢ端子１５０を具備していて、装着した際には図２に示す様にスマートホン５００のメス型であるＵＳＢコネクタ５５０と、前記オス側ＵＳＢコネクタ１５１とが嵌合する。
【００１４】
これによりスマートホン５００のＵＳＢコネクタ５５０は、スマートホンケース１００を貫通して、外部機器とのＵＳＢ接続が可能となるのである。
【００１５】
そして、図３に示す様に、収納スペース１１０に電池パック２００を格納し、この電源コード２１０をＵＳＢコネクタ端子１５５に結線する事により、予備電池を内蔵したスマートホンケースと成るのである。この電池パック２００への結線は切断スイッチ１７０を介して結線する事により、ＵＳＢコネクとの接続を切断すれば、従来通りのＵＳＢ接続で外部機器との接続が可能となる。
【００１６】
図４は収納スペース１１０に手回し発電機３００を格納したもので、これを回転させるための、引張り用のストラップ３１０はスマートホンケース１００のストラップ穴を貫通して引っ張り具３２０に結合されている。これを引っ張って発電した電力でスマートホン５００の電池を充電する事が可能となる。
【００１７】
図５は収納スペース１１０に測定用基板４００を格納したもので、測定プローブ４１０を被測定箇所に接触し、当該箇所から得た測定データをスマートホン５００に取り込んで、測定値や波形を表示する。これにより、スマートホンをあたかもテスターの様に使う事が出来る。
【００１８】
この測定基板４００の様に、ＵＳＢコネクタを有する基板を汎用的に利用可能にするため、ＵＳＢコネクタケーブル１６０をＵＳＢコネクタ１５０に並列接続してＵＳＢ接続を可能にする。
【００１９】
この測定基板以外にも、例えば赤外線通信基板を格納してスマートホンをリモコンとしで利用する事等も可能になり、スマートホンの利用範囲が広がる。
【符号の説明】
【００２０】
１００    スマートホンケース
１０５    スマートホンケース背板
１１０    収納スペース
１５０    ＵＳＢコネクタ
１５１    オス側コネクタ
１５２    メス側コネクタ
１５５    ＵＳＢコネクタの端子
１６０    ＵＳＢコネクタケーブル
１７０    切断スイッチ
２００    電池パック
２１０    電池パックの電源コード
３００    手回し発電機
３１０    ストラップ
３２０    ストラップ引っ張り具
４００    ＵＳＢ端子付き測定器基板
４１０    測定プローブ
５００    スマートホン
５５０    スマートホンのＵＳＢコネクタ
【図１】
2020182256.tif 000003
【図２】
2020182256.tif 000004
【図３】
2020182256.tif 000005
【図４】
2020182256.tif 000006
【図５】
2020182256.tif 000007